(57)【要約】【課題】  小型ポータブル電子機器において、小型化、薄肉化、軽量化しつつキャビネットの脆弱化を防止する。【解決手段】  小型ポータブル電子機器１は、直方体形状に形成されたキャビネット２と、該キャビネット２内に収納された電子機器本体部３と、該電子機器本体部を操作する複数の操作キー５〜１０と、を備えている。前記キャビネット２は、筒状に形成されていて一側部に設けた開口部２１ａから前記電子機器本体部３を挿入する筒状のキャビネット本体２１と、該キャビネット本体２１内に電子機器本体部３を挿入したのちに前記開口部２１ａに取り付けて該開口部２１ａを閉塞する蓋体２２と、で構成されている。前記筒状のキャビネット本体２１はマグネシュウム合金により鋳造されている。【選択図】  図３
2006019390.tif 000002
【特許請求の範囲】
【請求項１】
扁平に形成されたキャビネットと、該キャビネット内に収納された電子機器本体部と、該電子機器本体部を操作する操作キーと、を備え、
前記キャビネットは、筒状に形成されていて一側部に設けた開口部から前記電子機器本体部を挿入する直方体形状のキャビネット本体と、該キャビネット本体内に前記電子機器本体部を挿入したのちに前記開口部を閉塞する蓋体と、で構成されていることを特徴とする小型ポータブル電子機器。
【請求項２】
前記キャビネット本体は、方形状に形成されていて所定の間隔をもって対向する第１，第２の主面部と、これら第１，第２の主面部間の左右の側部に配置された第１，第２の側面部と、前記第１，第２の主面間の前後の側部のいずれか一方の側部に配置された第３の側面部と、で一体に形成されていて、前記第３の側面部と対向する位置に前記開口部が設けられていることを特徴とする請求項１に記載の小型ポータブル電子機器。
【請求項３】
前記キャビネット本体は、前記開口部と対向する前記第３の側面部の内面に前記開口部から挿入した前記電子機器本体部の挿入側の前端部の位置決めを行う電子機器本体位置決め部を備えていることを特徴とする請求項２に記載の小型ポータブル電子機器。
【請求項４】
前記電子機器本体位置決め部は、前記第３の側面部の内面に幅方向に伸びるリブ状の突起を設けることにより形成されていることを特徴とする請求項３に記載の小型ポータブル電子機器。
【請求項５】
前記電子機器本体位置決め部は、前記第３の側面部の内面に幅方向に所定の間隔をもって突出する対状の突起を設けることにより形成されていることを特徴とする請求項３に記載の小型ポータブル電子機器。
【請求項６】
前記電子機器本体位置決め部は、前記第３の側面部の内面に幅方向に伸びるリブ状の突起と、前記第３の側面部の内面に幅方向に所定の間隔をもって突出する対状の突起と、によって形成されていることを特徴とする請求項３に記載の小型ポータブル電子機器。
【請求項７】
前記蓋体は、前記キャビネット本体の開口部を閉塞する蓋体本体部と、該蓋体本体部の一側面の外周部に突出形成されていて前記キャビネット本体の内面に係合する脚部と、を備え、
前記脚部は、前記電子機器本体部の側面に設けた被係合部に係合して前記電子機器本体部の後端部に位置決めされる位置決め部を備えていることを特徴とする請求項１に記載の小型ポータブル電子機器。
【請求項８】
前記キャビネット本体は、エスカッションをキャビネット本体の外面側から取付けるエスカッション取付孔を備え、
前記電子機器本体部は、前記キャビネット本体への電子機器本体部の挿入時に前記エスカッション取付孔に挿入したエスカッションの先端部に係合して、該エスカッションの前記エスカッション取付孔からの脱落を阻止するエスカッション係合部を備えていることを特徴とする請求項１に記載の小型ポータブル電子機器。
【請求項９】
前記キャビネット本体は、マグネシュウム合金で形成されていることを特徴とする請求項１に記載の小型ポータブル電子機器。
【発明の詳細な説明】
【技術分野】
【０００１】
本発明は、携帯電話機、電子手帳、ポータブルＭＤ、デジタルカメラ、音楽配信用の携帯端末としてのホータブルミュージックプレーヤー等の小型ポータブル電子機器に関する。
【背景技術】
【０００２】
上記小型ポータブル電子機器として例えば図２４に示すものが知られている。上記小型ポータブル電子機器２０１は、扁平な直方体形状に形成されたキャビネット２０２と、該キャビネット２０２内に収納されたプリント基板２０３や該プリント基板２０３に搭載された実装部品２０４等からなる電子機器本体部２０５と、前記キャビネット２０２の表面に臨んで設けられていて前記電子機器本体部２０５を操作する複数の操作キィ２０６と、を備えている。
【０００３】
前記キャビネット２０２は、上ケース２０２ａと下ケース２０２ｂの側壁２０２ｃを突き合わせて両者を結合することにより構成されている。
【０００４】
前記操作キィ２０６は、前記キャビネット２０２の表面に設けた孔２０７に上端部を臨ませた状態でキャビネット２０２に取付けられている。また、前記操作キィ２０６により押圧操作されるタクトスイッチ２０８は、前記キャビネット２０２内に収納されたプリント基板２０３に取付けられている。そして、前記操作キィ２０６を押圧すると、前記プリント基板２０３に設けたフレキシブル基板２０３に設けたタクトスイッチ２０８が押圧され、押し潰されるように弾性変形してスイッチが入り、押圧を解除すると弾性復帰してタクトスイッチの接触が解除されるようになっている。なお、２０９はバッテリーケースである。（例えば特許文献１）
【特許文献１】特開２０００−１５１１３６号公報
【発明の開示】
【発明が解決しようとする課題】
【０００５】
ところで、上記小型ポータブル電子機器には、次に述べるような問題点があった。
（１）上ケース２０２ａと下ケース２０２ｂの側壁２０２ｃを突き合わせて両者を結合してキャビネット２０２を構成しているために、上ケース２０２ａと下ケース２０２ｂの結合手段が複雑になり、両者の結合強度を確保するのが難しい。
（２）上ケース２０２ａと下ケース２０２ｂに捩れが発生し易い。捩れが生じるとまた、上ケース２０２ａと下ケース２０２ｂの側壁２０２ｃの突き合わせ面２０２ｄに隙間が生じ易く、キャビネットの密閉性が悪くなる。
【０００６】
ところで、小型ポータブル電子機器は、ますます小型化、薄肉化、軽量化、高性能化の傾向にある。そのためにキャビネットの肉厚をできるだけ薄くしなければならずキャビネットは脆弱化する傾向にある。従って、小型化、薄肉化、軽量化を図りつつキャビネットの構造を簡素化して、その機械的強度と密閉性の向上を図ることがこの種の小型ポータブル電子機器に課せられた課題であった。
【０００７】
本発明の目的は、小型化、薄肉化、軽量化しつつキャビネットの脆弱化を防止するとともに、キャビネットの組立てを容易にし、かつキャビネット内への塵埃等の侵入をより確実に防止することのできる小型ポータブル電子機器を提供することにある。
【課題を解決するための手段】
【０００８】
請求項１の発明は、直方体形状に形成されたキャビネットと、該キャビネット内に収納された電子機器本体部と、該電子機器本体部を操作する操作キィと、を備えた小型ポータブル電子機器において、前記キャビネットを、薄く細長い直方体形状の筒状に形成されていて一側部に設けた開口部から前記電子機器本体部を挿入する扁平のキャビネット本体と、該キャビネット本体の該開口部を閉塞する蓋体と、で構成した。
【０００９】
請求項２の発明は、請求項１の小型ポータブル電子機器において、前記キャビネット本体を、方形状に形成されていて所定の間隔をもって対向する第１，第２の主面部と、これら第１，第２の主面部間の左右の側部に配置された第１，第２の側面部と、前記第１，第２の主面間の前後の側部のいずれか一方の側部に配置された第３の側面部と、で一体に形成し、該第３の側面部と対向する位置に前記開口部を設けた。
【００１０】
請求項３の発明は、請求項２の小型ポータブル電子機器において、前記キャビネット本体の、前記開口部と対向する前記第３の側面部の内面に、前記開口部から挿入した前記電子機器本体部の挿入側の前端部の位置決めを行う電子機器本体位置決め部を設けた。
【００１１】
請求項４の発明は、請求項２の小型ポータブル電子機器において、前記電子機器本体位置決め部を、前記第３の側面部の内面に幅方向に伸びるリブ状の突起で構成した。
【００１２】
請求項５の発明は、請求項２の小型ポータブル電子機器において、前記電子機器本体位置決め部を、前記第３の側面部の内面に幅方向に所定の間隔をもって突出する対状の突起で構成した。
【００１３】
請求項６の発明は、請求項２の小型ポータブル電子機器において、前記電子機器本体位置決め部を、前記第３の側面部の内面に幅方向に伸びるリブ状の突起と、前記第３の側面部の内面に幅方向に所定の間隔をもって突出する対状の突起と、によって構成した。
【００１４】
請求項７の発明は、請求項１の小型ポータブル電子機器において、前記蓋体を、前記キャビネット本体の開口部を閉塞する蓋体本体部と、該蓋体本体部の一側面の外周部に突出形成されていて前記キャビネット本体の下面に係合する脚部と、で構成すると共に、前記脚部に、前記電子機器本体部の側面に設けた蓋体位置決め用の係合部に係合して前記電子機器本体部の後端部に位置決めする被係合部を設けた。
【００１５】
請求項８の発明は、請求項１の小型ポータブル電子機器において、前記キャビネット本体に、該キャビネット本体の外面側からエスカッションを挿入するエスカッション取付孔を設けると共に、前記電子機器本体部には、前記キャビネット本体への挿入時に前記エスカッション取付孔に挿入したエスカッションの先端部に係合して、該エスカッションの前記エスカッション取付孔からの脱落を阻止するエスカッション係合部を設けた。
【００１６】
請求項９の発明は、請求項１の小型ポータブル電子機器において、前記キャビネット本体を、マグネシュウム合金で形成した。
【発明の効果】
【００１７】
請求項１の小型ポータブル電子機器は、扁平な直方体形状に形成された筒状のキャビネット本体の一側の開口部から電子機器本体部をキャビネット本体内に挿入したのちに前記開口部に蓋体を取り付けて該開口部を閉塞するという簡単な方法でキャビネットの組立てと、該キャビネット内への電子機器本体部の収納を行うことができる。従来の上ケースと下ケースの側壁を突き合わせて両者を結合して構成したキャビネットに比べて、キャビネット本体と蓋体の突き合わせ面が少ないのでその分、両者の結合が容易になると共に、前記突き合わせ面から塵埃等が侵入するのを防止することができる。また、キャビネットを薄型にすることができる。
【００１８】
請求項２の小型ポータブル電子機器は、筒状のキャビネット本体を構成する第１，第２の主面部と、これら第１，第２の主面部間の左右の側部に配置された第１，第２の側面部と、前記第１，第２の主面間の前後の側部のいずれか一方の側部に配置された第３の側面部と、を一体に形成したので、従来の上ケースと下ケースの側壁を突き合わせて両者を結合して構成したキャビネットに比べて強度的に優れたものになる。また、キャビネット本体の開口部は、蓋体で塞がれて補強される。
【００１９】
請求項３の小型ポータブル電子機器は、開口部からキャビネット本体内に挿入された電子機器本体部は、前記キャビネット本体の第３の側面部に設けた電子機器本体位置決め部で位置決めされる。
【００２０】
請求項４の小型ポータブル電子機器は、前記電子機器本体位置決め部を、前記第３の側面部の内面に幅方向に伸びるリブ状の突起で形成したので、前記電子機器本体部のキャビネット本体への挿入方向側の前端部に、前記電子機器本体位置決め部が係合する溝等の被係合部を設けることにより、前記電子機器本体部のキャビネット本体への挿入時に、前記電子機器本体位置決め部を前記電子機器本体部の前端部の溝等の被係合部に係合させて前記電子機器本体部の厚み方向の位置決めを行うことができる。
【００２１】
請求項５の小型ポータブル電子機器は、前記電子機器本体位置決め部を、前記第３の側面部の内面に幅方向に所定の間隔をもって突出する対状の突起を設けることにより形成したので、前記電子機器本体部のキャビネット本体への挿入方向側の前端部に、前記対状の突起の間に係合する厚み方向に伸びるリブ等の被係合部を設けることにより、前記電子機器本体部のキャビネット本体への挿入時に、前記リブ等の被係合部を前記対状の突起の間に係合させて前記電子機器本体部の厚み方向の位置決めを行うことができる。
【００２２】
請求項６の小型ポータブル電子機器は、前記電子機器本体位置決め部を、前記第３の側面部の内面に幅方向に伸びるリブ状の突起と、前記第３の側面部の内面に幅方向に所定の間隔をもって突出する対状の突起と、で構成したので、前記電子機器本体部の厚み方向の位置決めと、幅方向の位置決めを同時に行うことができる。
【００２３】
請求項７の小型ポータブル電子機器は、前記蓋体を、前記キャビネット本体の開口部を閉塞する蓋体本体部と、該蓋体本体部の一側面の外周縁部に突出形成されていて前記キャビネット本体内面に係合する脚部と、で構成すると共に、前記脚部には、前記電子機器本体部の側面に設けた被係合部に係合して前記電子機器本体部の後端部に位置決め固定される位置決め部を設けたので、蓋体を電子機器本体部に組み付けてから両者を一緒にキャビネット本体内に挿入して、前記蓋体でキャビネット本体に対する電子機器本体部の後端部側の位置決めを行うことができる。
【００２４】
請求項８の小型ポータブル電子機器は、キャビネット本体内に挿入した電子機器本体部によってエスカッションのキャビネット本体からの脱落を防止する。
【００２５】
請求項９の小型ポータブル電子機器は、キャビネット本体をマグネシュウム合金で形成したので、キャビネット本体のより一層の薄肉化、軽量化を図ることができると共に、キャビネット本体の機械的強度を向上させることができる。
【発明を実施するための最良の形態】
【００２６】
以下、本発明を、（１）小型ポータブル電子機器全体の概略構成、（２）キャビネットの構成、（３）電子機器本体部の構成、（４）操作キィの構成、（５）組立方法及び作用、（６）他の実施例、の順で説明する。
（１）小型ポータブル電子機器全体の概略構成、
図１は小型ポータブル電子機器の斜視図、図２は小型ポータブル電子機器を裏返して見た状態の斜視図である。
【００２７】
小型ポータブル電子機器１は、音楽配信用の携帯端末としてのポータブルミュージックプレーヤーとして構成されている。前記小型ポータブル電子機器１は、扁平な直方体形状に形成されたキャビネット２と、該キャビネット２内に収納された電子機器本体部３と、該電子機器本体部３を操作する操作手段としての第１〜第７の操作キィ４〜１０を備えている。
【００２８】
前記第１の操作キィ４は、所謂十字ファンクッションキィとしてリング状に形成されていて前記キャビネット２の上面に配置されている。前記第２の操作キィ５は、前記第１の操作キィ４の中央部に配置されている。前記第３〜第７の操作キィ６〜１０は、前記キャビネット２の側面に配置されている。前記キャビネット２には前記電子機器本体部３の液晶等のディスプレイを露出させるための切欠窓部１１が形成されている。前記キャビネット２の上面には前記切欠窓部１１を塞いだ状態で合成樹脂製のカバープレート１２が取付けられている。
【００２９】
前記カバープレート１２の前記切欠窓部１１に対応する位置は透明の窓部１２ａが形成されていて、前記電子機器本体部３の液晶等のディスプレイが透視できるようになっている。また、前記カバープレート１２には円形のキィ取付孔１２ｂが設けられていて、該キィ取付孔１２ｂ内に前記第１の操作キィ４と第２の操作キィ５が取付けられている。前記キャビネット２の側面には、ストラップ係止体１４が配置されている。また、前記キャビネット２の裏面には、エスカッション１５が設けられている。
（２）キャビネットの構成、
図３に示すように、前記キャビネット２は、マグネシュウム合金等の高硬度の金属を鋳造することにより筒状に形成されていて一側部に設けた開口部２１ａから前記電子機器本体部３を挿入する扁平な直方体形状のキャビネット本体２１と、前記電子機器本体部３を挿入した前記筒状のキャビネット本体２１の開口部２１ａを閉塞する蓋体２２と、で構成されている。
【００３０】
図３、図４に示すように、前記キャビネット本体２１は、方形状に形成されていて所定の間隔をもって対向する第１，第２の主面部（上面板と下面板）２１ｂ，２１ｃと、これら第１，第２の主面部２１ｂ，２１ｃ間の左右の側部に配置された第１，第２の側面部２１ｄ，２１ｅと、前記第１，第２の主面部２１ｂ，２１ｃ間の前後の側部のいずれか一方の側部に配置された第３の側面部２１ｆと、を備えている。そして、前記第３の側面部２１ｆと対向する位置に前記開口部２１ａが設けられている。
【００３１】
前記第１の主面部２１ｂは、その表面に方形状の窪み部２１ｇを備えている。前記窪み部２１ｇは、後に詳しく説明する電子機器本体部３を構成するディスプレイ５５が臨む切欠部２１ｈと、該切欠部２１の一側部に連なる導線引出し用の切欠部２１ｉと、前記第１，第２の操作キィ４，５及びこれら第１，第２の操作キィ４，５によって押圧操作される複数のタクトスイッチを設けた第１のフレキシブル基板１６の被操作部１６ａを取付ける取付部２１ｊを備えている。
【００３２】
図５に示すように、前記フレキシブル基板１６は、前記取付部２１ｊに接着剤等で固定的に取り付けられる被操作部１６ａを備えている。前記被操作部１６ａには、前記第１の操作キィ４によって押圧される第１〜第４のタクトスイッチ１６ｂ〜１６ｅと、前記第２の操作キィ５によって押圧される第５のタクトスイッチ１６ｆと、が設けられている。
【００３３】
前記第１〜第５のタクトスイッチ１６ｂ〜１６ｆは、伏椀状に突出形成されていて前記第１，第２の操作キィ４，５で押圧すると押し潰されるように弾性変形してスイッチが入り、押圧を解除すると元の伏椀状に弾性復帰して接触が解除されスイッチが切れるようになっている。１６ｇはフレキシブル基板１６のリード部（引出線部）、１６ｈはコネクタへの接続部である。前記リード部１６ｇは前記電子機器本体部３の挿入方向と同方向に伸びている。
【００３４】
図３、図４に示すように、前記取付部２１ｊは、後に詳しく説明する第１の操作キィ４の第１〜第４の脚部８７〜９０の先端を挿入する複数の溝部２１ｋと、前記第２の操作キィ５の第１〜第３の脚部１０４〜１０６の先端を挿入する複数の溝部２１ｍを備えている。
【００３５】
前記取付部２１ｊに接着等によりフレキシブル基板１６の被操作部１６ａを取付けた後に、前記窪み部２１ｇに両面接着シート１８等により前記合成樹脂製のカバープレート１２が取り付けられる。前記カバープレート１２の前記電子機器本体部３のディスプレイ５５に対応する位置には透明の窓部１２ａが形成されていると共に、前記取付部２１ｊに取付けたフレキシブル基板１６の被操作部１６ａに対応する位置には第１の操作キィ４及び第２の操作キィ５を取付けるためのキィ取付孔１２ｂが形成されている。
【００３６】
図６に示すように、前記カバープレート１２の外周縁部１２ｃは、所謂面取りされていて、前記カバープレート１２を前記窪み部２１ｇに取付けた際に、前記外周縁部１２ｃが前記窪み部２１ｇの高さの範囲内に収まって前記第１の主面部２１ｂの表面から突出するのを防止している。また、前記溝部２１ｋの外周面２１ｎに対して前記カバープレート１２に設けたキィ取付孔１２ｂの周面は、内側に突出した状態になっていて、該突出した部分の下面１２ｄに、前記キィ取付孔１２ｂに挿入した第１の操作キィ４の第１〜第４の脚部８７〜９０の抜け防止用の係合突起９２が係合して、前記キィ取付孔１２ｂ内に第１の操作キィ４が取付けられる。
【００３７】
図４（Ｄ），（Ｅ）に示すように、第１，第２の側面部２１ｄ，２１ｅの前記開口部２１ａ側の端部にはネジ孔２４が形成されていて、これらネジ孔２４に挿入したネジ２５（図１〜図３参照）によって前記電子機器本体部３と前記蓋体２２が前記キャビネット本体２１に取付けられる。また、図４（Ｅ）に示すように、前記第２の側面部２１ｅには、ストラップ係止体１４を取付けるためのストラップ係止体取付孔２６が形成されている。図４（Ｂ）に示すように、前記第３の側面部２１ｆの前記第１の側面部２１ｄ側の端部には後に説明する電子機器本体部３のラインアウト等の第１の外部接続用のコネクタ６２が臨むコネクタ用の開口部３１が形成されいると共に、前記第２の側面部２１ｅ側の端部には前記第３〜第５の操作キィ６〜８を取付けるキィ取付孔３２，３３，３４が形成されていている。また、図４（Ｃ）に示すように、前記キャビネット本体２１の第３の側面部２１ｆの内面には、前記開口部２１ａから挿入した電子機器本体部３の挿入側の前端部の位置決めを行うための第１の電子機器本体位置決め部３５及び第２の電子機器本体位置決め部３６が設けられている。
【００３８】
前記第１の電子機器本体位置決め部３５は、前記コネクタ用の開口部３１の下縁に沿って伸びるリブ状の突起を設けることにより形成されている。また、前記第２の電子機器本体位置決め部３６は、前記コネクタ用の開口部３１の一側部に幅方向に所定の間隔を以って一対の突起３６ａ，３６ｂを設けることにより形成されている。
【００３９】
前記キャビネット本体２１内に電子機器本体部３を挿入すると、図７に示すように、前記電子機器本体部３の前端部に設けた溝部６３内に前記第１の電子機器本体位置決め部３５が嵌合して前記電子機器本体部３の厚み方向（矢印Ａ−Ｂ方向）の移動（位置ズレ）を阻止すると共に、図８に示すように、前記一対の突起３６ａ，３６ｂの間に前記電子機器本体部３の前端部に設けた縦長状のリブ６４が嵌合して前記電子機器本体部３の幅方向（矢印Ｃ−Ｄ方向）の移動（位置ズレ）を阻止する。
【００４０】
図３に示すように、前記蓋体２２は、前記キャビネット本体２１の開口部２１ａと略同形、同大に形成された蓋体本体部２２ａと、該蓋体本体部２２ａの一側面に設けられていて前記キャビネット本体２１の開口部２１ａの内周面に嵌合するリブ２２ｂと、前記蓋体本体部２２ａの長さ方向の一端部に形成された脚部２２ｃと、を備えている。
【００４１】
前記蓋体本体部２２ａには、電子機器本体部３に設けた電源用等の第２の外部接続用のコネクタ６７が臨む開口部３７が設けられていると共に、キィ取付孔３８，３９が設けられていて、これらキィ取付孔３８，３９に前記第６，第７の操作キィ９，１０がスライド可能に取付けられている。前記脚部２２ｃには、前記電子機器本体部３に対して蓋体２２の組み付け位置を規定する第１の位置決め部４０と第２の位置決め部４１が設けられている。
【００４２】
そして、図９に示すように、蓋体２の脚部２２ｃを前記電子機器本体部３の側方に位置させた後に、図１０に示すように、電子機器本体部３側に移動させ、第１の位置決め部４０と第２の位置決め部４１に電子機器本体部３に設けた第１の被位置決め部６５と第２の被位置決め部６６を係合させることにより、前記蓋体２２は、前記電子機器本体部３の挿入方向の後端部に位置決めされた状態で組み付けられる。そして、前記蓋体２２は、電子機器本体部３と共に前記キャビネット本体２１内に挿入された後に前記ネジ２５によって前記キャビネット本体２１に螺着される。
（３）電子機器本体部の構成、
図３及び図１１に示すように、電子機器本体部３は、扁平な方形状に形成されたハードディスクドライブ５１と、該ハードディスクドライブ５１の外周部をゴム或いはプラスチックのインシュレータ５２を介して支持している金属製の枠体５３と、前記ハードディスクドライブ５１の上面に重ね合わせた状態で前記枠体５３に取付けられているプリント基板５４と、該プリント基板５４の上面に取付けられている液晶等のディスプレイ５５と、該ディスプレイ５５の側方に配置されている板状のバッテリー５６と、を備えていて、全体が方形の板状にユニット化されている。
【００４３】
前記ディスプレイ５５とバッテリー５６の間には前記第１のフレキシブル基板１６のリード部１６ｇを配置するためのリード部収納溝５７が形成されている。前記溝５７は、前記第１のフレキシブル基板１６のリード部１６ｇと対向する位置に形成されている。前記溝５７の一端側（電子機器本体部３の前記キャビネット本体２１への挿入方向側の前端部側）の前記プリント基板５４の上面には第１のフレキシブル基板接続用のコネクタ５８が設けられている。該コネクタ５８には、前記一端側の被操作部１６ａを前記キャビネット本体２１に取付けた第１のフレキシブル基板１６のリード部１６ｇの先端の接続部１６ｈが接続される。
【００４４】
前記第１のフレキシブル基板接続用のコネクタ５８の近傍には、第２のフレキシブル基板接続用のコネクタ５９が設けられている。該第２のフレキシブル基板接続用のコネクタ５９には、第２のフレキシブル基板６０の一端部が接続されている。該第２のフレキシブル基板６０の他端側には、前記第３〜第５の操作キィ６〜８により押圧操作される被操作部６１が設けられている。前記被操作部６１には、第１〜第４のタクトスイッチ６１ａ〜６１ｄが設けられている。前記被操作部６１は、前記枠体５３の外面（前記キャビネット本体２１への挿入方向側の端面）に取付けられていて、前記第１のタクトスイッチ６１ａは、前記第３の操作キィ６で押圧操作され、前記第２のタクトスイッチ６１ｂは、前記第４の操作キィ７で押圧操作され、前記第３及び第４のタクトスイッチ６１ｃ，６１ｄは、前記第５の操作キィ８で押圧操作される。また、前記ディスプレイ５５の前記キャビネット本体２１への挿入方向側の端部には、前記第１の外部接続用のコネクタ６２が設けられている。
【００４５】
図１２に示すように、前記第１の外部接続用のコネクタ６２の下縁と前記枠体５３の間には、前記キャビネット本体２１の第３の側面部２１ｆの内面に設けた第１の電子機器本体位置決め部３５（図４Ｅ参照）としてのリブ状の突起を導入する溝部６３が設けられていると共に、前記前記第１の外部接続用のコネクタ６２の側方には、前記キャビネット本体２１の第３の側面部２１ｆの内面に設けた第２の電子機器本体位置決め部３６としての一対の突起３６ａ，３６ｂ（図４Ｅ参照）の間に係合する縦長状のリブ６４が設けられている。
【００４６】
図９，図１０に示すように、前記電子機器本体部３のキャビネット本体２１への挿入方向側の端部と反対側の端部には、前記蓋体２２の脚部２２ｃに設けた第１の位置決め部４０と第２の位置決め部４１に係合して前記蓋体２２を位置決めする第１の被位置決め部６５と第２の被位置決め部６６が設けられている。
【００４７】
前記第１の被位置決め部６５は、前記枠体５３の一部を切り起こすことにより形成され、前記第２の被位置決め部６６は、前記枠体５３の一部を外側に向けて略円形状に突出させることにより形成されている。
【００４８】
また、図３に示すように、前記ディスプレイ５５の前記キャビネット本体２１への挿入方向側の端部と反対側の端部には、前記ディスプレイ５５とバッテリー５６の間に設けられたリード部収納溝５７を挟んで前記ディスプレイ５５側に前記第２の外部接続用のコネクタ６７が設けられ、前記バッテリー５６側に第１，第２のスライドスイッチ６８，６９が設けられている。前記第１，第２のスライドスイッチ６８，６９の操作レバー６８ａ，６９ａは、前記枠体５３の外面側に向けて設けられている。
【００４９】
そして、前記電子機器本体部３に前記蓋体２２を組み付けると、該蓋体２２にスライド可能に取付けた前記第６，第７の操作キィ９，１０が前記第１，第２のスライドスイッチ６８，６９の操作レバー６８ａ，６９ａに係合して、これら第６，第７の操作キィ９，１０のスライドに連動して前記第１，第２のスライドスイッチ６８，６９が操作される。
【００５０】
また、図１３に示すように、前記キャビネット本体２１の裏面側である第２の主面部２１ｃにはエスカッション取付孔７１が形成されている。前記エスカッション１５は、前記第２の主面部２１ｃの外面側から前記エスカッション取付孔７１に挿入される。前記エスカッション１５は、頭部１５ａと、該頭部１５ａの裏面に台座部１５ｂを介して設けられた一対の脚部１５ｃ，１５ｄと、を備えていて、これら一対の脚部１５ｃ，１５ｄと前記頭部１５ａの間に隙間１５ｅ，１５ｆが形成されている。一方、図１１に示すように、前記電子機器本体部３の裏面側には前記エスカッション１５が前記エスカッション取付孔７１から抜け落ちるのを阻止する防止する一対のエスカッション係合部７２，７３が設けられている。前記エスカッション係合部７２，７３は、前記電子機器本体部３の枠体５３の一部を切り起こすことにより爪片状に形成されている。そして、前記電子機器本体部３を前記キャビネット本体２１内に挿入すると、図１４に示すように、前記エスカッション１５の隙間１５ｅ，１５ｆに前記エスカッション係合部７２，７３が侵入してエスカッション１５の脱落を阻止する。なお、前記エスカッション１５は、バッテリー５６を充電する際などにおいて、図２３に示すように小型ポータブル電子機器１を充電器等のクレードル１１１のキャビネット挿入部１１２に挿入した場合に前記キャビネット挿入部１１２の内面に設けた係止突起１１３が係合してキャビネット挿入部１１２から小型ポータブル電子機器１が抜け出るのを防止するものであり、前記エスカッション１５は、前記電源用のコネクタ６７の近傍に設けられていて、キャビネット２をクレードル１１１のキャビネット挿入部１１２に挿入した際に、前記コネクタ６７の近傍を押さえて、前記コネクタ６７が前記キャビネット挿入部１１２の底面に設けた端子１１４から容易に外れることがなようにしている。
（４）操作キィの構成、
図１５に示すように、前記第１の操作キィ４は、上面の４箇所に送り、戻し、早送り、早戻し等の第１〜第４のマーク８１ａ〜８１ｄを表示したリング状のキィ本体８２と、該キィ本体８２の下面の前記マーク８１に対応する位置に突出形成された第１〜第４の凸部８３〜８６と、第１〜第４の脚部８７〜９０と、を備えている。前記リング状のキィ本体８２の中央の孔の内周面には第２の操作キィ５の位置決めと支持を行う複数の放射状の突起９１が設けられている。また、前記第１〜第４の脚部８７〜９０の先端部の外側面には、前記カバープレート１２に係合する抜け止め用の突起９２が設けられている。
【００５１】
また、図１６に示すように、前記第２の操作キィ５は、上面にマーク１０１を表示した円形状のキィ本体１０２と、該キィ本体１０２の下面の前記マーク１０１に対応する位置に突出形成された凸部１０３と、第１〜第３の脚部１０４〜１０６と、を備えている。前記第１〜第３の脚部１０４〜１０６は、先端部の外側面に前記第１の操作キィ４に係合する抜け止め用の係合突起１０７を備えている。そして、前記第１〜第３の脚部１０４〜１０６を前記リング状の第１の操作キィ４の中央の孔内に挿入すると、図１７に示すように、第１〜第３の脚部１０４〜１０６の係合突起１０７が前記第１の操作キィ４の下面に係合して、前記第２の操作キィ５は、前記第１の操作キィ４の中央の孔部内に取付けられる。
【００５２】
そして、前記第１の操作キィ４の第１〜第４の脚部８７〜９０を前記キャビネット本体２１に取付けたカバープレート１２のキィ取付孔１２ｂに挿入すると、図１８に示すように、前記第１〜第４の凸部８３〜８６が前記フレキシブル基板１６の被操作部１６ａの第１〜第４のタクトスイッチ１６ｂ〜１６ｃの頂部に接触すると共に、第１〜第４の脚部８７〜９０の係合突起９２が前記カバープレート１２の下面のキィ取付孔周縁部に係合して、前記第１の操作キィ４は、前記カバープレート１２のキィ取付孔１２内に取付けられた状態になる。前記第１〜第４の脚部８７〜９０の先端は、前記キャビネット本体２１に設けた４個の溝部２１ｋ内に侵入して回転を阻止される。前記操作キィ回転防止用の溝部２１ｋ内に侵入した前記第１〜第４の脚部８７〜９０の先端は、前記溝部２１ｋの深さの範囲内に収まっていて、前記電子機器本体部３をキャビネット本体２１内に挿入する際に前記第１〜第４の脚部８７〜９０の先端が前記電子機器本体部３に干渉するのを防止して挿入の障害にならない。また、前記第２の操作キィ５は、前記凸部１０３が前記フレキシブル基板１６の第５のタクトスイッチ１６ｆに接触すると共に、前記第１〜第３の脚部１０４〜１０６の先端は、前記キャビネット本体２１に設けた３個の溝部２１ｍ内に侵入して回転を阻止される。前記溝部２１ｍ内に侵入した前記第１〜第３の脚部１０４〜１０６の先端は、前記溝部２１ｍの深さの範囲内に収まっていて、前記電子機器本体部３をキャビネット本体２１内に挿入する際に前記第１〜第３の脚部１０４〜１０６の先端が前記電子機器本体部３に干渉するのを防止する。
【００５３】
図３に示すように、前記第３〜第５の操作キィ６〜８及びストラップ係止部１４は、所謂キィシートとして樹脂で一体的に成形されている。前記第３〜第５の操作キィ６〜８及びストラップ係止部１４は、前記電子機器本体部３の挿入の障害にならないように前記キャビネット本体２１の内面側から前記キィ取付孔３２，３３，３４及びストラップ係止部取付孔２６に挿入されている。前記キィ取付孔３２，３３，３４内に挿入された第３〜第５の操作キィ６〜８は、前記キィ取付孔３２，３３，３４内に押圧操作可能に取り付けられて、前記ストラップ係止部１４は、ストラップ係止部取付孔２６に固定した状態で取付けられている。また、前記第６，第７の操作キィ９，１０は、蓋体２２にスライド可能に取付けられている。
（５）組立方法及び作用、
次に、前記小型ポータブル電子機器１の組立方法の一例を説明する。先ず、図１９に示すように、前記キャビネット本体２１の表面に第１のフレキシブル基板１６の被操作部１６ａを取付ける。そして、第１のフレキシブル基板１６のリード部１６ｇを前記切欠部２２ｉからキャビネット本体２１内に挿入した後に開口部２１ａから引き出す。また、シートキィとして一体的に形成された第３〜第５の操作キィ６〜８及びストラップ係止部１４をキャビネット本体２１の内面側から前記キィ取付孔３２，３３，３４及びストラップ係止部取付孔２６に挿入して取付ける。また、前記キャビネット本体２１の外面側からエスカッション１５をエスカッション取付孔７１内に挿入して取付ける。
【００５４】
次に、図２０に示すように、前記第１のフレキシブル基板１６の先端のリード部１６ｇをＵ字状に折り曲げた状態で前記接続部１６ｈを第１のコネクタ５８に接続する。次に、図２１に示すように、蓋体２２を電子機器本体部３の後端部に組み付けて、電子機器本体部３をキャビネット本体２１内に挿入する。、電子機器本体部３を挿入すると前記第１のフレキシブル基板１６のリード部１６ｇは、前記溝５７内で所謂２つ折り状に折り返された状態で電子機器本体部３と共にキャビネット本体２１内に挿入されて行く。電子機器本体部３が完全にキャビネット本体２１内に挿入された状態になると、電子機器本体部３の前端部に設けた溝部６３内に前記キャビネット本体２１に設けた第１の電子機器本体位置決め部３５が嵌合して電子機器本体部３の厚み方向の移動（位置ズレ）を阻止すると共に、電子機器本体部３の前端部に設けた縦長状のリブ６４が前記キャビネット本体２１に設けた第１の電子機器本体位置決め部３６としての一対の突起３６ａ，３６ｂの間に嵌合して電子機器本体部３の幅方向の移動（位置ズレ）を阻止すると共に、電子機器本体部３に設けたエスカッション係合部７２，７３が前記エスカッション１５に係合してエスカッション１５の脱落が阻止される。キャビネット本体２１の開口部２１ａに蓋体２２を挿入したのち、ネジ２５で電子機器本体部３とキャビネット本体２１及び蓋体２２を一体的に結合する。そして、図２２に示すように、両面接着シート１８等により前記合成樹脂製のカバープレート１２を取付けると共に、該カバープレート１２のキィ取付孔１２ｂに第１，第２の操作キィ４，５を取付けて小型ポータブル電子機器１の組立てが完了する。なお、前記カバープレート１２の取付け及び該カバープレート１２への第１，第２の操作キィ４，５の取付けは、フレキシブル基板１６の被操作部１６ａをキャビネット本体２１に接着した後に直ちに行ってもよい。
【００５５】
前記小型ポータブル電子機器１は、前記第１の操作キィ４の第１のマーク８１ａを表示した部分を押圧すると前記第１のフレキシブル基板１６の被操作部１６ａの第１のタクトスイッチ１６ｂが操作される。同様に第２のマーク８１ｂを表示した部分を押圧すると第２のタクトスイッチ１６ｃが操作され、第３のマーク８１ｃを表示した部分を押圧すると第３のタクトスイッチ１６ｄが操作され、第４のマーク８１ｄを表示した部分を押圧すると第４のタクトスイッチ１６ｅが操作される。前記第２の操作キィ５を押圧すると第５のタクトスイッチ１６ｆが操作される。
【００５６】
また、前記第３の操作キィ６を押圧すると前記第２のフレキシブル基板６０の第１のタクトスイッチ６１ａが操作され、前記第４の操作キィ７を押圧すると前記第２のフレキシブル基板６０の第２のタクトスイッチ６１ｂが操作される。また、前記第５の操作キィ８の一端部を押圧すると前記第２のフレキシブル基板６０の第３のタクトスイッチ６１ｃが操作され、前記第５の操作キィ８の他端部を押圧すると前記第２のフレキシブル基板６０の第４のタクトスイッチ６１ｄが操作される。
【００５７】
また、前記第６の操作キィ９により前記第１のスライドスイッチ６８がスライド操作され、前記第７の操作キィ１０により前記第２のスライドスイッチ６９がスライド操作される。
（６）他の実施例
上記実施例では、キャビネット本体２１の外側面に、第１の操作キィ４として４つのタクトスイッチの操作を行う十字キィと、該十字キィの中央部に第２の操作キィ５を配置した場合を示したがキャビネット本体２１の外側面には、他の操作キィを配置してもよい。また、上記十字キィは４つのタクトスイッチの操作を行うものでなく６つのタクトスイッチの操作を行うものであっても、８つのタクトスイッチの操作を行うものであってもよい。また、キャビネット本体２１の外側面に配置される操作キィは、十字状キィに限定されるものではなく、広く単一のタクトスイッチの操作を行うタクトスイッチやスライドスイッチであっても良い。
【００５８】
また、上記実施例では、小型ポータブル電子機器として音楽配信用の携帯端末としてのホータブルミュージックプレーヤーを例にとって説明したが、小型ポータブル電子機器には、携帯電話機、電子手帳、ポータブルＭＤ、デジタルカメラ等が含まれる。
【図面の簡単な説明】
【００５９】
【図１】斜視図。
【図２】裏面側から見た斜視図。
【図３】分解斜視図。
【図４】Ａはキャビネット本体部の正面図、Ｂは平面図、Ｃは底面図、Ｄは左側面図、Ｅは右側面図。
【図５】Ａは第１のフレキシブル基板の平面図、Ｂは第１のフレキシブル基板の断面図。
【図６】カバープレートの外周縁部の断面図。
【図７】電子機器本体部を位置決めした状態の説明図。
【図８】電子機器本体部を位置決めした状態の説明図。
【図９】蓋体を位置決めする前の状態を示す説明図。
【図１０】蓋体を位置決めした状態を示す説明図。
【図１１】電子機器本体部の底面図。
【図１２】電子機器本体部の要部の側面図。
【図１３】エスカッションの拡大図。
【図１４】エスカッションにエスカッション係合部が係合した状態の説明図。
【図１５】Ａは第１の操作キィの斜視図、Ｂは底面図、Ｃは断面図。
【図１６】Ａは第２の操作キィの斜視図、Ｂは底面図、Ｃは断面図。
【図１７】第１の操作キィに第２の操作キィを組み付けた状態の断面図。
【図１８】第１，第２の操作キィをカバープレートへ組付けた状態の断面図。
【図１９】小型ポータブル電子機器の組立工程を示す説明図。
【図２０】小型ポータブル電子機器の組立工程を示す説明図。
【図２１】小型ポータブル電子機器の組立工程を示す説明図。
【図２２】小型ポータブル電子機器の組立工程を示す説明図。
【図２３】エスカッションの作用を示す説明図。
【図２４】従来例の断面図。
【符号の説明】
【００６０】
１…小型ポータブル電子機器、２…キャビネット、３…電子機器本体部、４〜１０…第１〜第７の操作キー、１５…エスカッション、２１…キャビネット本体、２１ａ…開口部、２１ｂ，２１ｃ…第１、第２の主面部、２１ｄ〜２１ｆ…第１〜第３の側面部、２２…蓋体、３５…第１の電子機器本体位置決め部、３６…第２の電子機器本体位置決め部、７１…エスカッション取付孔、７２，７３…エスカッション係合部。
【図１】
2006019390.tif 000003
【図２】
2006019390.tif 000004
【図３】
2006019390.tif 000005
【図４】
2006019390.tif 000006
【図５】
2006019390.tif 000007
【図６】
2006019390.tif 000008
【図７】
2006019390.tif 000009
【図８】
2006019390.tif 000010
【図９】
2006019390.tif 000011
【図１０】
2006019390.tif 000012
【図１１】
2006019390.tif 000013
【図１２】
2006019390.tif 000014
【図１３】
2006019390.tif 000015
【図１４】
2006019390.tif 000016
【図１５】
2006019390.tif 000017
【図１６】
2006019390.tif 000018
【図１７】
2006019390.tif 000019
【図１８】
2006019390.tif 000020
【図１９】
2006019390.tif 000021
【図２０】
2006019390.tif 000022
【図２１】
2006019390.tif 000023
【図２２】
2006019390.tif 000024
【図２３】
2006019390.tif 000025
【図２４】
2006019390.tif 000026